(57)【特許請求の範囲】
【請求項１】
合成樹脂で成形した中空管のポール本体を有する横置き用ポールにおいて、前記ポール本体の内部に、合成樹脂から成るシート状の補強部材を筒状にし、当該補強部材の一端縁と他端縁とが一部重なる状態で少なくとも一枚配設することを特徴とした横置き用ポール。
【請求項２】
前記シート状の補強部材を前記ポール本体の端面から突出させ、他の横置き用ポールとの嵌合を可能にしたことを特徴とした請求項１記載の横置き用ポール。
【請求項３】
前記ポール本体の内周面と前記シート状の補強部材との間にスペーサを配置することにより、前記ポール本体の端面において前記ポール本体の内周面と前記シート状の補強部材との間に嵌合用の隙間を設けたことを特徴とした請求項１又は２に記載の横置き用ポール。
【発明の詳細な説明】
【０００１】
【発明の属する技術分野】
本発明は、駐車場，踏切，道路，イベント会場，その他の各種ゲート等に用いられる標示又は通行規制目的で横置き設置するポールに関する。
【０００２】
【従来の技術】
従来、駐車場，踏切，道路，イベント会場，その他の各種ゲート等において標示又は通行規制目的で設置されるポールがある。このような目的で設けられるポールとしては、例えば図８（ａ）に示す如くポール１００Ａの一端を保持手段１０１Ａにて保持する片持ち式のもの，図８（ｂ）に示す如くポール１００Ｂの両端を保持手段１０１Ｂにて保持する両持ち式のものがあり、かかる図の如く設置面から所定の間隔を設けた状態で横置きに配置して使用される。
【０００３】
このポールには、その材料として従来より木材，竹又はガラス繊維強化樹脂（ＦＲＰ）等の硬質材料が使用されている。しかしながら、かかる材質のポールは、例えば人に当たった場合は怪我をする虞があり、また車輌等に当たった場合は傷をつける虞もある。更に、駐車場や踏切の遮断桿に適用した場合には、車輌が衝突すると折損し、そのままでは遮断桿としての機能が損なわれるばかりでなく、折損した遮断桿やその破片により他の車輌や人等を傷つける虞があり大変危険である。また、近年、悪質ドライバーによる遮断桿折損事故が多発しており、そのような事故が発生した場合、その都度遮断桿を交換しなければならず、その復旧作業に多大な手数と費用がかかってしまう。かかる不都合を改善する為、車輌等が衝突しても折損しないように強度を上げた遮断桿が使用されているが、これでは車輌衝突時に遮断桿が折れず、逆に車輌を傷つける虞があり、また最悪の場合、車輌のフロントガラスが破損して乗員を傷つける虞もある。
【０００４】
そこで、上記夫々の不都合を改善する為のポールとして、例えば特開平１１−１７１０１８号公報に警戒遮断装置の遮断管が開示されている。この特開平１１−１７１０１８号公報に開示された遮断管とは、日本工業規格Ｋ７２１５（プラスチックのデュロメータ硬さ試験方法）に基づくデュロメータ硬度Ｄ６５〜８５のプラスチックやウレタンゴムから成る中空管により構成されたものである。この遮断管によれば、車輌等が衝突した際には屈曲し、その後復元することが可能となるので、上記夫々の不都合を改善することができる。
【０００５】
【発明が解決しようとする課題】
しかしながら、上記特開平１１−１７１０１８号公報に開示された遮断管と同様の構成のポールは、柔軟性のある材料で成形されているので、水平での設置状態が長くなるにつれて、図８に二点鎖線で示す如く撓み量Ｄｂが大きくなってしまう、という不都合があった。
【０００６】
また、従来は、既に設置されている硬質材料から成る従来のポール（以下、「既設ポール」ともいう。）が破損した場合等の状況下においては、それを上記特開平１１−１７１０１８号公報に開示された遮断管と同様の構成のポールに交換することが好適であった。しかしながら、この柔軟性のあるポールには、現場での取付け設置を素早く，且つ容易に行なう為の配慮が為されていなかった。ここで、破損箇所へのポールの継ぎ足しや破損し易い箇所（例えば硬質材料から成るポールの根元等）を予め取り除いて継ぎ足しを行う等の補修交換は、ポール全体を交換するよりも取付け設置作業の迅速化，容易化の観点から，更には交換にかかる費用の低減や無用な廃棄物の削減の観点からも有用となる場合がある。しかしながら、上記特開平１１−１７１０１８号公報に開示された遮断管と同様の構成のポールには、そのような補修についての何らの配慮も為されていなかった。
【０００７】
本発明は、かかる従来例の有する不都合を改善し、第一に自己の破損，車輌等の損傷及び人の怪我を防ぐだけでなく撓み防止をも図ることが可能な，第二に既設ポールの補修交換に好適な横置き用ポールを提供することを、その目的とする。
【０００８】
【課題を解決するための手段】
上記第一の目的は、合成樹脂で成形した中空管のポール本体の内部に、合成樹脂から成るシート状の補強部材を筒状にした状態で少なくとも一枚配設することにより達成される。
【０００９】
また、上記第二の目的は、上記シート状の補強部材をポール本体の端面から突出させることにより達成される。更には、シート状の補強部材を着脱自在に配設することによっても達成される。
【００１０】
【発明の実施の形態】
本発明に係る横置き用ポールの第一実施形態について図１から図４に基づき説明する。
【００１１】
図１に示す符号１０は、本実施形態のポールを示す。このポール１０は、図１に示す如く、中空のポール本体１と、このポール本体１の内面に配設した補強部材２とを有する。
【００１２】
本実施形態のポール本体１は、日本工業規格Ｋ７２１５に基づくデュロメータ硬度Ｄ４０〜８５の合成樹脂から成り、例えば押出し成形法にて成形される。尚、本実施形態にあっては、ポール本体１として円管状のものを例示するが必ずしもこの形状に限定するものではない。続いて、本実施形態の補強部材２とは、厚さ１ｍｍ以下の例えばポリエステル系の合成樹脂から成るシート状の部材のことであって、ポール本体１の復元性を補い且つその撓みを抑える為に使用するものである。ポール１０を形成する際、この補強部材２は、円筒状に丸めた状態でポール本体１の内部に挿通され、自己の復元力によりポール本体１の内面に密着している。ここで、本実施形態のポール１０にあっては、図１（ｂ）に示す如く補強部材２がポール本体１の根元側から所定の長さだけ配設されている。尚、ここでいうポール本体１の根元とは、従来例の如き保持部材（図示略）によって保持されている側や後述する継ぎ足し取り付けを行う際の既設ポール側，即ちポール１０の接続側のことをいう。
【００１３】
以上の状態では補強部材２がポール本体１の内部で滑動したり、ポール本体１から外れたりしてしまうので、この滑動や外れを抑える為の固定部材３がポール１０には設けられている。例えば本実施形態にあっては、ポール本体１及び補強部材２に設けた孔にポール本体１の外周側から挿通して夫々を共止めする図１に示す固定ピン３が使用されている。ここで、その固定ピン（固定部材）３は、着脱自在なものであることが望ましく、固定部材を外すことができれば、仮にポール１０が破損したとしても、ポール１０全体を交換せずともポール本体１のみ又は補強部材２のみの交換が可能となり、交換にかかる費用の低減や無用な廃棄物の削減を図ることができる。
【００１４】
また、本実施形態のポール１０にあっては、図１（ｂ）に示す如く補強部材２がポール本体１の端面から突出している。これは後述する既設ポールへの継ぎ足し取り付け，又は管状の保持部材への取り付けを行う際の作業性を向上させる為に設けられたものである。
【００１５】
以上の如くポール本体１の復元性を補う補強部材２が具備されたポール１０を構成することによって、人，物や車輌等がポール１０に衝突しても、またポール１０が人，物や車輌等に衝突しても、ポール１０の折損，人の怪我及び物や車輌等の損傷を防ぐことができる。即ち、衝突の際にポール１０が屈曲し、その後復元するので、ポール１０自身の折損，破損を防止することができる。また、屈曲するが如く柔軟性のあるポール１０であるから、人，物や車輌等への攻撃性が低減され、人の怪我，物や車輌等への損傷を防止することができる。更に、ポール１０には上記ポール本体１の復元性の補助と共にポール本体１の撓みを抑える補強部材２が具備されているので、上記効果に加えて、ポール１０の撓み量の抑制をも図ることができる。
【００１６】
以下に本実施形態のポール１０の具体例を用いて行った撓み量抑制効果の確認試験の結果を示す。この撓み量抑制効果の確認試験には、補強部材無しのポール（従来のポール）と補強部材入りのポール（本実施形態のポール）を被試験体として用いる。ここで、この撓み量抑制効果の確認試験とは、夫々の被試験体を約４５℃にしたまま片持ちで水平に設置し、その水平位置からの撓み量を測定する水平設置試験のことである。ここでは、この水平設置試験において、３３６（ｈｒ）経過時点と６７２（ｈｒ）経過時点の二種類の試験時間（設置時間）の撓み量を測定する。
【００１７】
上記二つの被試験体としては以下のものを用いる。先ず、材質に熱可塑性ウレタン樹脂（デュロメータ硬度Ｄ７４品）を用いて外径５０ｍｍ×長さ１６００ｍｍ×肉厚２ｍｍに成形したものを従来のポールに相当する被試験体とする。また、この従来のポールに相当する被試験体と同一の成形品から成るポール本体１と、東レ（株）製ポリエステルフィルム「ルミラーＨ１０」の厚さ０．５ｍｍ品を円筒状に丸め、そのポール本体１の根元側から長手方向に約１０００ｍｍの範囲にわたってセットした補強部材２とで構成したポール１０を本実施形態のポールに相当する被試験体とする。
【００１８】
以上の如き条件における試験結果は以下の表１の通りであり、この結果から補強部材を設けたポールの方が撓み量が少なく、時間の経過による撓み量の増加幅も従来と比して小さくなっていることが解る。
【００１９】
【表１】
0004060633.tif 000002
【００２０】
以上示したポール１０は、補強部材２が着脱自在に配設されており、且つ後述する如く接続手段の機能をも兼ねているので、既設ポールの破損箇所のみの交換もでき、その交換にかかる費用の低減や無用な廃棄物の削減をも図ることが可能である。以下に、その既設ポールの破損箇所への本実施形態のポール１０の継ぎ足し，又は既設ポールの破損し易い箇所を取り除き、かかる箇所への本実施形態のポール１０の継ぎ足しを行う場合について説明する。尚、ここでは、既設ポールの内径とポール本体１の外径が略一致しているものとする。
【００２１】
このポール１０の継ぎ足し取り付けは、図２（ａ）に示す補強部材２の突出部分の外周面に既設ポール１００の内面をあてがって、ポール１０の内部に既設ポール１００を挿入して行う。具体的には、突出部分を窄めた補強部材２を既設ポール１００に挿入した後、ポール１０の内部に既設ポール１００を更に挿入する。これにより、図２（ｂ）に示す如く、ポール本体１と補強部材２の間に既設ポール１００が挿入され、このポール本体１と補強部材２により既設ポール１００が挟持される（具体的には補強部材２が自己の復元力により既設ポール１００をポール本体１の内面に押圧する）ので、ポール１０と既設ポール１００の接続を行うことができる。このように本実施形態の補強部材２は、前述した如くポール本体１の復元性の向上や撓み抑制を図るだけでなく、ポール１０の取り付け対象との間における接続手段の機能をも兼ねている。また、その突出部分が既設ポール１００を挿入する際のガイドたる機能を為し、取付作業が容易になる。尚、ポール１０を既設ポール１００に挿入した後は、その連結部分の外周上を粘着テープ等で本固定する。
【００２２】
上記の如きポール１０の取り付けにおいては、既設ポール１００を挿入する際、補強部材２の突出部分を一旦窄めなければならない。これが為、その際の更なる取付作業性の向上を図るには、図３に示す如きポール本体１の形状に対応させた管状のスペーサ４をポール本体１と補強部材２との間で且つそのポール本体１の根元側に配設しておけばよい。このポール本体１と補強部材２との間に介在するスペーサ４は、ポール本体１の長手方向に沿って滑動できるようなものを用い、その滑動動作が可能となるように配設しておく。例えば、その材質としては、摩擦抵抗の低いゴム弾性体又は合成樹脂を使用することが望ましい。
【００２３】
このようなスペーサ４を設けることによって、ポール本体１の根元側にて補強部材２との間に隙間が空き，且つかかる箇所での補強部材２の外径が小さくなるので、その隙間から図４（ａ）に示す既設ポール１００を挿入すればよい。そして、この挿入により既設ポール１００がスペーサ４を押動していくと、図４（ｂ）に示す如く、そのスペーサ４の周辺を除いて補強部材２が自己の復元力により既設ポール１００をポール本体１の内面に押圧するので、ポール１０と既設ポール１００を接続することができる。このようにスペーサ４をポール本体１と補強部材２との間に介在させることによって、上述した既設ポール挿入時の取付作業がよりスムーズ且つ容易になる。ここで、ポール本体１と補強部材２との間に適度な挿入用の隙間を設ける為には、その間の距離が少なくとも既設ポール１００の肉厚よりも大きくなるような肉厚を有するスペーサ４を用いる。
【００２４】
以下に、本実施形態のスペーサ４の具体例を図５及び図６を用いて説明する。図５に例示するスペーサ４Ａは、ポール本体１の内径と略同一の外径を有する円管状のものである。また、図６に例示するスペーサ４Ｂは、ポール本体１の内径と略同一又はその内径よりも大きな外径を有する円管の一部に切り込みを入れたものである。ここで、使用するスペーサ４としては、図６に示すスペーサ４Ｂの如き切り込み形状のものに替えて、その外周面又は内周面に切り欠きを入れたものであってもよい。更に、図示しないが、スペーサ４として断面が多角形の管状のものを用いてもよい。かかる場合、スペーサ４の滑動性を考慮した上で、多角形の最大外径をポール本体１の内径と略同一又はその内径よりも大きくすることが望ましい。ここで、この多角形の管状のスペーサ４にあっても、上記スペーサの如く、切り込みや切り欠きを入れてもよい。
【００２５】
以上示した既設ポール１００へのポール１０の継ぎ足し取り付け方法やそれに要する構成は、ポール１０を管状の保持部材へ取り付ける場合についても同様である。
【００２６】
尚、上記の如くスペーサ４を用いて予めポール本体１と補強部材２との間に適度な既設ポール１００挿入用の隙間を設けるのであれば、現場での取付作業性は損なわれないので、補強部材２の突出部分を必ずしも設けずともよい。
【００２７】
以上示したポール１０は、補強部材２に接続手段としての機能を持たせ、既設ポール１００への継ぎ足し取り付けや管状の保持部材への取り付けを行うものとして例示したが、そのような挿入接続を行わない場合には必ずしも補強部材２の突出部分を設けなくてもよい。かかる場合、上記ポール１０の如くポール本体１と補強部材２とを前述した固定部材３で固定してもよいが、そのような固定部材３による固定ではなく、ポール本体１と補強部材２とを接着剤等により貼着して一体的に構成してもよい。
【００２８】
上記第一実施形態においては二層構造のポール１０について説明したが、本発明に係る横置き用ポールは、必ずしもその第一実施形態の態様に限定されるものではない。以下に、本発明に係る横置き用ポールの第二実施形態について図７に基づき説明する。
【００２９】
図７に示す符号２０は、本実施形態のポールを示す。このポール２０は、図７（ａ），（ｂ）に示す如く三層構造のものであり、表面層のポール本体１１と、このポール本体１１の内面に配設した中間層の補強部材１２Ａと、この補強部材１２Ａの内面に配設した内面層の補強部材１２Ｂとを有する。本実施形態にあっては、ポール本体１１には第一実施形態のポール本体１と同様のものを、補強部材１２Ａ，１２Ｂには第一実施形態の補強部材２と同様のものを用いる。また、これらポール本体１１と各補強部材１２Ａ，１２Ｂとは、第一実施形態のポール１０と同様に固定部材１３で固定されている。換言すれば本実施形態のポール２０は、第一実施形態のポール１０に、円筒状に丸めた補強部材２をもう一枚追加したものである。
【００３０】
上記補強部材１２Ａ，１２Ｂは、本実施形態のポール２０にあってもポール本体１１の根元側から所定の長さだけ配設される。また、この補強部材１２Ａ，１２Ｂの内の少なくとも一方は、第一実施形態と同様の取付作業性の向上を図る為、ポール本体１１の端面から突出させている。この図７に示すポール２０にあっては、中間層たる補強部材１２Ａを突出させたものを例示する。
【００３１】
以上の如く構成した本実施形態のポール２０は、第一実施形態と同様に、既設ポール１００への継ぎ足し取り付けや管状の保持部材への取り付けが可能である。例えば、図７（ａ），（ｂ）に示すポール２０と既設ポール１００との取り付けは、補強部材１２Ａの突出部分の外周面に既設ポール１００の内面をあてがって、図７（ｃ）に示す如くポール本体１１と補強部材１２Ａとの間に既設ポール１００を挿入して行う。
【００３２】
尚、内面層たる補強部材１２Ｂを突出させたポール２０の場合は、その補強部材１２Ｂの突出部分の外周面に既設ポール１００の内面をあてがって、補強部材１２Ａと補強部材１２Ｂとの間に既設ポール１００を挿入することにより、ポール２０と既設ポール１００との取り付けを行ってもよい。
【００３３】
本実施形態のポール２０は、以上の如く構成することにより、前述した第一実施形態のポール１０と同様に、人，物や車輌等がポール２０に衝突しても、またポール２０が人，物や車輌等に衝突しても、ポール２０の折損，人の怪我及び物や車輌等の損傷を防ぐことができ、更にポール２０の撓み量の抑制をも図ることができる。また、上記ポール２０にあっては補強部材を二枚具備しているが、必ずしもその枚数に限定するものではない。即ち、本実施形態の如く複数枚の補強部材を具備することにより、その枚数を調節してポール本体１１の復元性や撓み量を適宜好適なものに設定することができる。
【００３４】
更に、前述した第一実施形態のポール１０と同様に補強部材に突出部分を設けているので、交換補修時の取付作業性の向上を図ることもできる。ここで、図示しないが、第一実施形態のポール１０と同様にスペーサ４を具備させておくことで更なる取付作業性の向上を図ることができる。かかる場合のスペーサ４は、図７に示すポール２０にあってはポール本体１１と補強部材１２Ａとの間に設ければよく、補強部材１２Ｂを突出させたポールにあっては補強部材１２Ａと補強部材１２Ｂとの間に設ければよい。尚、スペーサ４を設けるのであれば、必ずしも補強部材１２Ａ又は補強部材１２Ｂの突出部分を設けずともよい。
【００３５】
以上示したポール２０は、補強部材１２Ａ又は補強部材１２Ｂに接続手段としての機能を持たせ、既設ポール１００への継ぎ足し取り付けや管状の保持部材への取り付けを行うものとして例示したが、そのような挿入接続を行わない場合には必ずしも補強部材１２Ａ又は補強部材１２Ｂの突出部分を設けなくてもよい。かかる場合、図７（ａ），（ｂ）に示すポール２０の如くポール本体１１と補強部材１２Ａ，１２Ｂとを固定部材１３で固定してもよいが、そのような固定部材１３による固定ではなく、ポール本体１１と補強部材１２Ａ，１２Ｂとを接着剤等により貼着して一体的に構成してもよい。
【００３６】
また、上記図７に示すポール２０は表面層のポール本体１１，中間層及び内面層の補強部材１２Ａ及び補強部材１２Ｂからなる三層構造のものであるが、上述した挿入接続を行わない場合は各層を以下の如く構成してもよい。例えば、表面層のポール本体１１に中間層の補強部材１２Ａを配設し、これに内面層を一体的に成形した三層構造のポールを構成する。かかる場合の内面層としては図７に示すポール本体１１又は補強部材１２Ａ，１２Ｂと同様の合成樹脂を用いればよく、この内面層と表面層たるポール本体１１とで中間層たる補強部材１２Ａを挟持する。
【００３７】
以上例示した第一及び第二の実施形態のポール１０，２０にあってはポール本体１，１１の根元側から所定の長さだけ補強部材２，１２Ａ，１２Ｂが配設されているが、必ずしもこの態様に限定するものではなく、ポール本体１，１１の全長にわたって補強部材２，１２Ａ，１２Ｂを配設してもよい。また、一方の根元側から所定の長さだけ補強部材２，１２Ａ，１２Ｂが配設されているが、例えば両持ち式の場合は、ポール本体１，１１の双方の根元側から所定の長さだけ補強部材２，１２Ａ，１２Ｂを配設してもよく、またポール本体１，１１の全長にわたって補強部材２，１２Ａ，１２Ｂを配設してもよい。かかる場合の補強部材２に接続手段としての機能を持たせるのであれば、取付作業性を向上させる為に補強部材２，１２Ａ，１２Ｂをポール本体１，１１の両端から突出させておいてもよい。
【００３８】
尚、第一及び第二の実施形態のポール１０，２０は、必ずしも限定するものではないが、その長さが２ｍ程度のものに特に有用である。
【００３９】
【発明の効果】
本発明に係る横置き用ポールは、合成樹脂で成形した中空管のポール本体の内部に、合成樹脂から成るシート状の補強部材を筒状にした状態で少なくとも一枚配設しているので、たとえ人，物や車輌等が衝突したとしても、またポールが人，物や車輌等に衝突したとしても、折損，人の怪我及び物や車輌等の損傷を防止することができる。更に、これに加えて設置時のポールの撓みの抑制をも図ることができる。
【００４０】
また、補強部材をポール本体とは別体で設けることによって補強部材が接続手段としての機能も兼ねるので、既設ポール等の管状部分への継ぎ足し設置が可能となり、既設ポールの破損等が生じた際に補修交換ができるようになる。また、かかる場合には破損箇所のみの交換も可能となり、交換にかかる費用の低減や無用な廃棄物の削減を図ることができる。ここで、仮に本発明に係るポールが破損したとしても、補強部材を着脱自在にすることにより、必要な部品のみを交換できるので同様の費用低減や廃棄物削減の効果を得ることができる。更にまた、補強部材をポール本体の端面から突出させることによって、継ぎ足し設置や補修交換時の作業の容易化を図ることが可能となる。
【図面の簡単な説明】
【図１】本発明に係る横置き用ポールの第一実施形態を例示する図であって、図１（ａ）はその横置き用ポールの左側面図，図１（ｂ）はその横置き用ポールを内部から見た断面図，図１（ｃ）はその横置き用ポールの右側面図を示す。
【図２】第一実施形態の横置き用ポールと既設ポールとの接続を説明する断面図であって、図２（ａ）は接続前の状態を示す図，図２（ｂ）は接続後の状態を示す図である。
【図３】スペーサを具備した第一実施形態の横置き用ポールを例示する図であって、図中の左側からその横置き用ポールの左側面図，内部から見た断面図，右側面図を示す。
【図４】スペーサを具備した第一実施形態の横置き用ポールと既設ポールとの接続を説明する断面図であって、図２（ａ）は接続前の状態を示す図，図２（ｂ）は接続後の状態を示す図である。
【図５】上記スペーサの一例を示す図であって、図５（ａ）はそのスペーサの正面図，図５（ｂ）はそのスペーサの側面図である。
【図６】上記スペーサの他の例を示す図であって、図６（ａ）はそのスペーサの正面図，図６（ｂ）はそのスペーサの側面図である。
【図７】本発明に係る横置き用ポールの第二実施形態を例示する図であって、図７（ａ）はその横置き用ポールの左側面図，図７（ｂ）はその横置き用ポールを内部から見た断面図，図７（ｃ）はその横置き用ポールと既設ポールとの接続を説明する断面図を示す。
【図８】従来の横置き用ポールを説明する図であって、図８（ａ）は片持ち式の横置き用ポール，図８（ｂ）は両持ち式の横置き用ポールを示す
【符号の説明】
１，１１  ポール本体
２，１２Ａ，１２Ｂ  補強部材
３，１３  固定部材
４，４Ａ，４Ｂ  スペーサ
１０，２０  横置き用ポール
１００  既設ポール
【図１】
0004060633.tif 000003
【図２】
0004060633.tif 000004
【図３】
0004060633.tif 000005
【図４】
0004060633.tif 000006
【図５】
0004060633.tif 000007
【図６】
0004060633.tif 000008
【図７】
0004060633.tif 000009
【図８】
0004060633.tif 000010